(57)【特許請求の範囲】
【請求項１】
システムコントローラの動作クロックを低速モードと高速モードとに切り換える切換手段と、
操作手段の操作に応じた制御を禁止するモード時に、システムコントローラの動作クロックを低速モードに制御し、
上記低速モード時に上記操作手段が操作された時に、一旦上記低速モードから上記高速モードに切り換えた後、所定時間経過後に再び低速モードに切り換わるように上記切換手段を制御する制御手段とを備え、
上記操作手段の操作時間にかかわらず自動的に高速モードから低速モードに切り換えることを特徴とする電子機器。
【請求項２】
上記操作手順の操作に応じた制御を禁止する上記モードを設定するホールド設定手段を有する請求項１に記載の電子機器。
【発明の詳細な説明】
【０００１】
【発明の属する技術分野】
この発明は、消費電力を節減する省電力モードで動作する機能を備えた電子機器に関する。
【０００２】
【従来の技術】
ＤＡＴ（Digital Audio Tape Recorder）その他の記録再生装置、特に電池を電源とする記録再生装置において、装置の機能が一定期間使用されないとき、電池の消耗を避けるため装置のメカニカルな機構を制御するメカニカルコントローラをオフにするとともに、このメカニカルコントローラを含む装置全体を制御するシステムコントローラの動作クロックを通常モードから低速モードに切換えることが行われている。たとえば、ポータブルＤＡＴにおいて、ストップボタンが押された後、一定時間なんらの操作がされないと、システムコントローラは、メカニカルコントローラをオフにし、自己のシステム・クロックを通常モード時の4.19MHzから低速モードの32kHzに切換え、電池の消費を低減させるようになっている。装置は、この低速モードでは時計表示を１秒に１回変える程度の働き以外をしない、いわば眠った状態にあるので、このモードはスリープモードと呼ばれる。スリープモードにあるときに装置のなんらかのボタンないしキーが押されると、これに応答して装置は、通常モードに切り換わる。
【０００３】
また、省電力効果を高めるため、機器をスリープモードに固定するホールドボタンを設け、このボタンがホールド位置にセットされているときは、他のキーを押すと通常モードに移って表示装置に機器が現在スリープモードにホールドされている旨の表示を出し、再びスリープモードに入るようにしたものがある。このホールドボタンは、たとえば機器をカバンなどに入れて持ち運んでいるとき、本の角などが機器の操作キーに触れて機器が使用者の意図に反して通常モードに入って電池を消費するのを防止するものである。
【０００４】
【発明が解決しようとする課題】
このような従来の機器では、スリープモードにホールドされた状態においても、たとえば本の角が機器の操作キーに触れ続けると通常モードに入ったままになり、スリープモードに移行することができない。また、カバンの振動により本などの角が機器の操作キーに断続的に触れスリープモードに移行する余裕を与えない場合にも、通常モードに入ったままになりスリープモードにホールドした効果が低減されるという問題があった。
【０００５】
したがって、この発明は、電子機器の省電力モードの効果を向上させることを目的とする。
【０００６】
【課題を解決するための手段】
この発明の課題は、システムコントローラの動作クロックを低速モードと高速モードとに切り換える切換手段と、操作手段の操作に応じた制御を禁止するモード時に、システムコントローラの動作クロックを低速モードに制御し、低速モード時に操作手段が操作された時に、一旦低速モードから高速モードに切り換えた後、所定時間経過後に再び低速モードに切り換わるように切換手段を制御する制御手段とを備え、操作手段の操作時間にかかわらず自動的に高速モードから低速モードに切り換える電子機器によって解決される。
【０００７】
【発明の実施の形態】
１．ＤＡＴ
以下にこの発明の実施形態をＤＡＴ（Digital Audio Tape Recorder）を例に説明する。図１に示すようにＤＡＴは、テープレコーダ本体１に回動可能に取付けられたカセットホルダー２を備え、このカセットホルダー２にテープカセット３を挿入することによってテープカセット３がテープレコーダ本体１に装着される。本体１には、液晶表示部３０が設けられていて、カレンダを表示し、また再生中は、カレンダに加えてプログラムナンバを表示する。
【０００８】
本体１には、巻き戻しボタン１５、ストップボタン１３、再生ボタン１１、早送りボタン１４、記録（録音）ボタン１２などの操作ボタンが設けられている。また、側面にはスライド式のホールドボタン１６が設けられている。ホールドボタン１６をホールド位置にスライドさせると、装置は、スリープモードに保持される。
【０００９】
説明の便宜上、表示部３０、各種操作ボタンおよびカセット装着取り出し用のカバーが本体１の同じ表面にあるものとして示したが、これらは製品の操作性および美観面からの設計によってどのように配置してもよい。カセットの装着取り出し口を本体の裏面に設け、各種の操作ボタンを主表面に大きく配置することができる。本体１には、図示したもののほか、音量調節ボタンないしつまみ、カレンダの設定キー、カセットカバーを開けるイジェクトボタンなどが設けられ、録音用のマイクロホン、再生用のスピーカ、ライン入力用の端子、ライン出力用の端子も備えられている。
【００１０】
図２を参照する。テープカセット３が装着されると、テープレコーダ本体１内に設けたテープローディング機構が作動を開始し、磁気テープ６を回転磁気ヘッドを備えるヘッドシリンダ７に沿った所定のテープ走行路にローディングする。磁気テープ６は、図２に示すように、キャプスタン８及びピンチローラ９によって駆動される。ヘッドシリンダ７およびキャプスタン８は、シリンダモータＭ１およびキャプスタンモータＭ２によってそれぞれ駆動される。
【００１１】
マイクロホン（図示せず）またはライン入力からのオーディオ信号は、アナログブロック２１に入力されて増幅され、Ａ／Ｄ、Ｄ／Ａブロック２２のＡ／Ｄコンバータ２２ａで標本化、量子化されてディジタル化され、信号処理ブロック２３に入る。信号処理ブロック２３は、このディジタル信号にインタリーブ部２３ａでインタリーブを施し、符号生成部２３ｂで誤り訂正符号を付加し、８ー１０変換部２３ｃで８ー１０変換を行う。このように処理されたディジタル信号が電磁変換ブロック２４の記録アンプ２４ａでヘッド駆動電流に変換され、録再切替スイッチ２４ｂを介して磁気テープ６に記録される。
【００１２】
再生操作の時は、磁気デープ６からのオーディオ信号が、電磁変換ブロック２４の録再切替スイッチ２４ｂを介して再生アンプ２４ｃへ送られて増幅され、等価整形部２４ｄで波形等化により整形されてデータ抽出が行われる。このデータが、信号処理ブロック２３に送られ、ここでは記録時と逆の動作が行われる。すなわち、データは、１０ー８変換部２３ｆで１０ー８変換され、誤り訂正部２３ｅで誤り訂正が施された後、デインタリーブ部２３ｄでインターリーブが解除される。こうして得られたディジタルデータがＤ／Ａコンバータ２２ｂに送られ、アナログ再生出力に変換され、増幅されてスピーカ（図示せず）を鳴らす。
【００１３】
システムコントローラ２５は、ＤＡＴの操作モードを選択するキー入力部１０に設けられるプレイ操作ボタン１１、記録操作ボタン１２、ストップ操作ボタン１３、早送り操作ボタン１４、巻戻し操作ボタン１５、その他の各操作ボタンまたはキーからの操作信号を受け取り、メカニカルコントローラ２６に操作モードに応じた制御信号を送る。図３ではキー入力部１０として限られたキーないしボタンだけを示しているが、上述したように音量調節キー、カレンダ設定キーなど他の多くの操作キーもキー入力部１０に含まれる。メカニカルコントローラ２６は、システムコントローラ２５と通信しながらサーボブロック２７を制御する。すなわち、メカニカルコントローラ２６は、装置のメカニカルな機構を制御する。
【００１４】
再生時のトラッキングサーボは、ＡＴＦ(Automatic Track Finding)方式が用いられ、ＡＴＦ部２７ａによって制御される。磁気テープ６にはＡＴＦエリアが設けられていて、ヘッドシリンダ７の再生ヘッドがＡＴＦエリアを通過するとき、再生ヘッドとトレースすべきトラック（ホームトラック）との誤差が検出される。簡単に述べると、ホームトラック上のＡＴＦエリアに記録されている第１周波数の信号（同期信号）を基準に、隣接トラックの第２周波数の信号（パイロット信号）をサンプルホールドし、ヘッドとホームトラックとの相対位置を検出し、差を０にするよう制御する。このＡＴＦ信号に基づいてサーボブロック２７のキャプスタンドライブ２７ｂは、キャプスタンモータＭ２の回転を制御する。ヘッドシリンダ７を回転させるシリンダモータＭ１は、サーボブロック２７のシリンダドライブ２７ｃによって駆動される。
【００１５】
２．モード切換
図３は、この発明が適用されるＤＡＴの構成を示すものである。図３において、システムコントローラ２５は、この装置全体を制御するものであり、各装置の制御を司るコントロール部６１と、第１および第２発振源６７、６８を切り換えるスイッチング回路６３とを備える。
【００１６】
コントロール部６１は、発振源を切り換えるタイミングを計るタイマ６２を備え、スイッチング回路６３、ユーザが操作するキー入力部１０、スリープモード状態を保つようにするホールドボタン１６、時刻や制御情報などを表示する液晶表示部３０、信号処理ブロック２３およびメカニカルコントローラ２６などからなる制御対象システム７０に接続されている。
【００１７】
スイッチング回路６３は、クロック周波数の異なる第１発振源６７および第２発振源６８と接続されており、コントロール部６１からの信号に応じて、それら第１または第２発振源６７、６８のいずれかを選択的にコントロール部６１に接続する。第１発振源６７は、システムコントローラ２５のコントロール部６１を通常モードで動作させるクロックを発生し、そのクロック周波数は4.19MHzである。第２発振源６８は、システムコントローラ２５のコントロール部６１を低速モード、すなわちスリープモードで動作させるクロックを発生し、そのクロック周波数は32kHzである。
【００１８】
２つの発振源６７、６８の切換について説明する。今、コントロール部６１は、通常モードで稼働する第１発振源６７に接続されているものとする。キー入力部１０の停止キーが押された場合、キー入力部１０からコントロール部６１に入力信号が送出される。コントロール部６１は、入力信号を受信すると、入力信号に応じた制御（テープの停止）を行うと共に、タイマ６２を、例えば３分にセットする。３分間何のキー入力も無ければ、３分後にタイマ６２からの信号を受けて、コントロール部６１は、スイッチング回路６３を制御して、第１発振源６７から第２発振源６８に接続を切り換えて、スリープモードに移行する。このとき、メカニカルコントローラ２６の電源は、完全にオフにされる。
【００１９】
スリープモードにおいて、何らかのキー入力があった場合、その入力されたキーに応じた処理を行うために、キー入力部７からの入力信号に応じて、コントロール部６１は、スイッチング回路６３を制御して、第２発振源６８から第１発振源６７への切換、即ち、スリープモードから通常モードへの切換を行う。これと同時に、メカニカルコントローラ２６の電源をオンにする。
【００２０】
ホールドボタン１６がホールド位置にセットされると、ホールドボタン１６からからコントロール部６１にホールド信号が送出される。ホールド信号に応じて、コントロール部６１は、スイッチング回路６３を制御して、第１発振源６７から第２発振源６８に接続を切り換えて、通常モードからスリープモードへ移行する。これと同時に、メカニカルコントローラ２６の電源はオフにされる。ホールドボタン１６がセットされた後は、コントロール部６１は、スリープモードを維持するように、スイッチング回路６３を制御する。
【００２１】
３．ホールド制御
図４は、ホールド状態でキー入力があった場合のモードの切換を示すタイミング図である。図４（ａ）は、従来のモード切換のタイミングを示している。従来において、ホールド状態のとき、何らかのキー入力があった場合、コントロール部６１は、スイッチング回路６３を制御して、第１発振源６７から第２発振源６８への切換、即ち、スリープモードから通常モードへの切換を行う。通常モードへの切換後、コントロール部６１は、表示素子８に「ホールド」表示を行う。これによりユーザはＤＡＴがホールド状態にあることを知る。
【００２２】
入力信号が途絶えた段階（図４（ａ）のＡで示される時間の終わり）で、コントロール部６１は、タイマ６２に所定の時間ｔ（例えば１５秒）をセットする。コントロール部６１は、タイマ６２で時間の計測を行い、時間ｔ経過後に、スイッチング回路６３を制御して、第２発振源６８から第１発振源６７への切換、即ち、通常モードからスリープモードへの切換を行う。従って、通常モードでの稼働時間は、時間Ａに時間ｔを加えた時間となる。
【００２３】
ユーザがポータブルＤＡＴをホールド状態にセットしてカバンに入れて移動するようなとき、カバンの振動で本などの角がＤＡＴのキー入力部７の操作キーに断続的に触れると、その接触の度に液晶表示部３０に「ホールド」表示を行う。また、コントロール部６１は、その接触の度に、接触による入力信号の立下がり部に応答して、タイマ６２に所定の時間ｔをセットし直して時間の測定を行う。したがって、断続的な接触の時間間隔がセット時間ｔよりも短いと、接触が繰り返されている間は、通常モードに入ったままとなる（図４（ａ）のＢで示される時間）。断続的な繰返入力信号が途絶えた段階（図４（ａ）のＢで示される時間の終わり）から時間ｔ経過後に、コントロール部６１は、スイッチング回路６３を制御して、第１発振源６７から第２発振源６８への切換、即ち、通常モードからスリープモードへの切換を行う。従って、通常モードでの稼働時間は、時間Ｂに時間ｔを加えた時間となる。
【００２４】
図４（ｂ）は、本発明のモード切換のタイミングを示している。本発明では、ホールド状態で、何らかのキー入力があった場合、コントロール部６１は、従来と同様にして、通常モードへの切換後、表示素子８に「ホールド」表示を行う。これと同時に、入力信号を受信した段階（図４（ｂ）のＡで示される時間の開始部分）で、コントロール部６１は、タイマ６２に所定の時間Ｔ（例えば１５秒）をセットする。以降コントロール部６１は、入力信号とは無関係にタイマ６２で時間計測を行い、時間Ｔ経過後に、スイッチング回路６３を制御して、第１発振源６７から第２発振源６８への切換、即ち、通常モードからスリープモードへの切換を行う。従って、通常モードでの稼働時間は、時間Ｔのみである。
【００２５】
上記の時間計測中に、再び何らかのキー入力が行われた場合、例えば、カバンの振動で本などの角がＤＡＴのキー入力部７の操作キーに断続的に触れた場合でも、コントロール部６１は、入力信号とは無関係にタイマ６２の時間計測を継続する。即ち、断続的な入力動作が繰り返されても、最初の入力信号を受信した段階（図４（ｂ）のＢで示される時間の開始部分）から、時間の計測を行い、所定の時間（Ｔ）の経過後に、コントロール部６１は、スイッチング回路６３を制御して、第１発振源６７から第２発振源６８への切換、即ち、通常モードからスリープモードへの切換を行う。従って、この場合も、通常モードでの稼働時間は、時間Ｔのみである。
【００２６】
以上のように、本願発明の場合は、入力キーが押されたままであっても、また、入力キーが断続的に繰り返し押されても、最初にキー入力があってから、所定の時間経過後には、スリープモードに切り換わる。
【００２７】
図５は、本発明のモード変換の処理を表すフローチャートである。スリープモードの状態（４０１）において、キー入力部７からキー入力があると（４０２）、上述のようにして通常モードに移行する（４０３）。入力信号に応じて、コントロール部６１は、ホールドボタン１６がホールド位置にセットされているかどうかを検出する（４０４）。ホールドボタン１６がホールド位置にセットされている場合、コントロール部６１は、タイマ６２に所定の時間をセットして、時間の計測を開始する（４０５）。コントロール部６１は、液晶表示部３０に表示信号を送って「ホールド」表示を行い（４０６）、所定の時間が経過するのを待つ（４０７）。所定の時間が経過したら、コントロール部６１の制御の下、上述で示したように、通常モードからスリープモードへ切り換わる（４０８）。なお、ステップ４０４で、ホールド状態でないと判断された場合には、入力されたキーに応じた通常のシステム動作を行う（４０９）。
【００２８】
以上、ＤＡＴを例に説明したが、本発明は、ミニディスク（ＭＤ）プレーヤ、コンパクトディスク（ＣＤ）プレーヤ、カセットテープレコーダなどにも適用することができる。
【００２９】
また、スリープモードへの切換時間を１５秒として説明したが、これは、任意に決めることができる。
【００３０】
【発明の効果】
この発明によると、ホールド状態でキー入力があったとき、キー入力があった時点でモード切換時間の計測を開始することにしたので、キーが押されたままになっても、所定時間後にスリープモードへ切り換わることができ、電子機器の省電力効果を向上させることができる。
【図面の簡単な説明】
【図１】この発明が適用できるＤＡＴの一例の概略斜視図である。
【図２】この発明が適用できるＤＡＴの一例の構成を示すブロック図である。
【図３】この発明が適用されたＤＡＴの一例の構成を示すブロック図である。
【図４】ホールド状態でキー入力があった場合のモードの切換を示すタイミング図である。
【図５】この発明のモード変換の処理を表すフローチャートである。
【符号の説明】
１０  キー入力部              １６  ホールドボタン
２５  システムコントローラ    ３０  液晶表示部
６１  コントロール部          ６２  タイマ
６３  スイッチング回路        ６７  第１発振源
６８  第２発振源              ７０  制御対象システム
【図１】
0003767076.tif 000002
【図２】
0003767076.tif 000003
【図３】
0003767076.tif 000004
【図４】
0003767076.tif 000005
【図５】
0003767076.tif 000006